【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
ニトロキシル媒介制御フリーラジカル重合により得られ、それによって過剰量のアクリレートが存在する、式（Ｉ）：
【化１】
2009508976.tif 000001
〔式中、
Ｉｎは、重合反応を開始する開始剤フラグメントであり：
Ａ及びＡ′は、アクリル酸、メタクリル酸、アクリロニトリル、メタクリロニトリル、アクリル酸（Ｃ１〜Ｃ２２）アルキルエステル、アクリル酸（Ｃ１〜Ｃ２２）ヒドロキシアルキルエステル、メタクリル酸（Ｃ１〜Ｃ２２）アルキルエステル、メタクリル酸（Ｃ１〜Ｃ２２）ヒドロキシアルキルエステル、アミノ、（Ｃ１〜Ｃ２２）アルキルアミノ、（Ｃ１〜Ｃ２２）ジアルキルアミノ、−ＳＯ３Ｈ、エポキシ、フルオロ、ペルフルオロ若しくはシロキサン基で置換されているアクリル酸（Ｃ１〜Ｃ２２）アルキルエステル又はメタクリル酸（Ｃ１〜Ｃ２２）アルキルエステル、スチレン、置換スチレン、アクリルアミド及びメタクリルアミド、Ｎ−モノ（Ｃ１〜Ｃ２２）アルキルアクリルアミド、Ｎ，Ｎ−ジ（Ｃ１〜Ｃ２２）アルキルアクリルアミドからなる群より選択される同一又は異なるモノマーであるが、但し、非置換アクリル酸（Ｃ１〜Ｃ２２）アルキルエステル及び／又はメタクリル酸（Ｃ１〜Ｃ２２）アルキルエステルの量は、モノマー混合物全体の重量に基づいて３０重量％を越えており；
Ｂは、２つ以上のエチレン性不飽和結合を有する少なくとも１つの多官能モノマーであるが、但し、これらのエチレン性不飽和結合の少なくとも一方は、高反応性二重結合であり、他方は、低反応性二重又は三重結合であり；
Ｅは、酸素原子を介してポリマー若しくはコポリマーに結合している少なくとも１つの安定したフリーニトロキシルラジカルを担持する基、又は結合している安定したフリーニトロキシルラジカルの置換若しくは脱離反応によりもたらされる基であり；
ｘ及びｘ′は、独立して０又は５〜５０００の数であり；
ｙは、５〜５０００の数であり；
ｚは、モノマー配列（Ａ）ｘ−（Ｂ）ｙに結合している末端基Ｅの平均数を示す、１又は１を越える数であり、好ましくは、ｚは１であり；
ｎは、１〜２０の数、好ましくは１である〕
で示されるポリマー。
【請求項２】
ポリマーが、ホモポリマー（ｘ及びｘ′が０である）、ジブロック、トリブロック、マルチブロックコポリマー、勾配コポリマー、又はテーパードコポリマーである、請求項１記載のポリマー。
【請求項３】
Ａが、スチレン、メチルアクリレート、エチルアクリレート、ｎ−ブチルアクリレート、イソブチルアクリレート、tert−ブチルアクリレート、ヒドロキシエチルアクリレート、ヒドロキシプロピルアクリレート、ジメチルアミノエチルアクリレート、グリシジルアクリレート、メチル（メタ）アクリレート、エチル（メタ）アクリレート、ブチル（メタ）アクリレート、ヒドロキシエチル（メタ）アクリレート、ヒドロキシプロピル（メタ）アクリレート、ジメチルアミノエチル（メタ）アクリレート、グリシジル（メタ）アクリレート、アクリロニトリル、アリクリアミド、メタクリルアミド若しくはジメチルアミノプロピル−メタクリルアミド、又はこれらの混合物であり、そして
Ｂが、プロパルギル（メタ）アクリレート、アリル（メタ）アクリレート、ブチニル（メタ）アクリレート、多不飽和脂肪アルコールの（メタ）アクリレートエステル、又はジアリルマレエートである、
請求項１又は２記載のポリマー。
【請求項４】
Ａが、メチルアクリレート、エチルアクリレート、エチルヘキシルアクリレート、プロピルアクリレート、シクロヘキシルアクリレート、ヒドロキシエチルアクリレート、ｎ−ブチルアクリレート、スチレン、ビニルピリジンであり、そしてＢがプロパルギルアクリレートである、請求項３記載のポリマー。
【請求項５】
式（Ｉ）のポリマーが、
ａ）構造要素：
【化２】
2009508976.tif 000002
を有するアルコキシアミン開始剤／調節剤の存在下で重合すること、又は
ｂ）構造要素：
【化３】
2009508976.tif 000003
を有する安定したニトロキシルフリーラジカル及びラジカル開始剤（フリーラジカルの供給源）の存在下で重合すること
により得られる、請求項１〜４のいずれか１項記載のポリマー。
【請求項６】
構造要素：
【化４】
2009508976.tif 000004
が、式（ＩＩ）の構造要素であり、そして構造要素：
【化５】
2009508976.tif 000005
が、式（ＩＩ′）：
【化６】
2009508976.tif 000006
〔式中、
Ｇ１、Ｇ２、Ｇ３、Ｇ４は、独立してＣ１〜Ｃ６アルキルであるか、又はＧ１とＧ２若しくはＧ３とＧ４若しくはＧ１、Ｇ２、Ｇ３、Ｇ４は、一緒になってＣ５〜Ｃ１２シクロアルキル基を形成し；
Ｇ５、Ｇ６は、独立して、Ｈ、Ｃ１〜Ｃ１８アルキル、フェニル、ナフチル又は基ＣＯＯＣ１〜Ｃ１８アルキルであり；
Ｘは、−ＣＨ２−フェニル、ＣＨ３ＣＨ−フェニル、（ＣＨ３）２Ｃ−フェニル、（Ｃ５〜Ｃ６シクロアルキル）２ＣＣＮ、（ＣＨ３）２ＣＣＮ、下記式：
【化７】
2009508976.tif 000007
、−ＣＨ２ＣＨ＝ＣＨ２、ＣＨ３ＣＨ−ＣＨ＝ＣＨ２、（Ｃ１〜Ｃ４アルキル）ＣＲ２０−Ｃ（Ｏ）−フェニル、（Ｃ１〜Ｃ４）アルキル−ＣＲ２０−Ｃ（Ｏ）−（Ｃ１〜Ｃ４）アルコキシ、（Ｃ１〜Ｃ４）アルキル−ＣＲ２０−Ｃ（Ｏ）−（Ｃ１〜Ｃ４）アルキル、（Ｃ１〜Ｃ４）アルキル−ＣＲ２０−Ｃ（Ｏ）−Ｎ−ジ（Ｃ１〜Ｃ４）アルキル、（Ｃ１〜Ｃ４）アルキル−ＣＲ２０−Ｃ（Ｏ）−ＮＨ（Ｃ１〜Ｃ４）アルキル、（Ｃ１〜Ｃ４）アルキル−ＣＲ２０−Ｃ（Ｏ）−ＮＨ２からなる群より選択され、ここで
Ｒ２０は、水素又は（Ｃ１〜Ｃ４）アルキルであり、そして＊は、原子価を示す〕
で示される構造要素である、請求項５記載のポリマー。
【請求項７】
Ｅが、式Ａ′、Ｂ′又はＯ′：
【化８】
2009508976.tif 000008
〔式中、
ｍは、１であり、
Ｒは、水素、非中断であるか若しくは１個以上の酸素原子で中断されているＣ１〜Ｃ１８アルキル、シアノエチル、ベンゾイル、グリシジルか、２〜１８個の炭素原子を有する脂肪族カルボン酸の、７〜１５個の炭素原子を有する脂環式カルボン酸の、３〜５個の炭素原子を有するα，β−不飽和カルボン酸の、若しくは７〜１５個の炭素原子を有する芳香族カルボン酸の一価ラジカルであり；
ｐは、１であり；
Ｒ１０１は、Ｃ１〜Ｃ１２アルキル、Ｃ５〜Ｃ７シクロアルキル、Ｃ７〜Ｃ８アラルキル、Ｃ２〜Ｃ１８アルカノイル、Ｃ３〜Ｃ５アルケノイル又はベンゾイルであり；
Ｒ１０２は、Ｃ１〜Ｃ１８アルキル、Ｃ５〜Ｃ７シクロアルキル、非置換であるか又はシアノ、カルボニル若しくはカルバミド基で置換されているＣ２〜Ｃ８アルケニルであるか、又はグリシジルであるか、式：−ＣＨ２ＣＨ（ＯＨ）−Ｚの、又は式：−ＣＯ−Ｚ若しくは−ＣＯＮＨ−Ｚの基であり、ここでＺは、水素、メチル又はフェニルであり；
Ｇ６は、水素であり、Ｇ５は、水素又はＣ１〜Ｃ４アルキルであり、
Ｇ１及びＧ３は、メチルであり、Ｇ２及びＧ４は、エチル若しくはプロピルであるか、又はＧ１及びＧ２は、メチルであり、そしてＧ３及びＧ４は、エチル若しくはプロピルである〕 
で示されるものである、請求項１のポリマー。
【請求項８】
Ｅが、下記式：
【化９】
2009508976.tif 000009
で示され、そして式（Ｉ）の開始フラグメント（Ｉｎ）が、下記式：
【化１０】
2009508976.tif 000010
で示される、請求項１記載のポリマー。
【請求項９】
顔料湿潤剤及び／又は分散剤としての、請求項１〜８のいずれか１項記載のポリマーの使用。
【請求項１０】
アルキンにより開始する全ての反応（例えば、レッペ法）における出発物質としての、又はヒドロシリル化反応における出発物質としての、請求項１〜８のいずれか１項記載のポリマーの使用。